(57)【特許請求の範囲】
【請求項１】
トングレールに接続される鎖錠かんに設けられた切り欠きの位置と、ロックピースの位置との偏移を、リニアセンサを設け該リニアセンサによりロック偏移検出器に対する前記鎖錠かんの偏移量として連続的に計測することで前記偏移を常に検出する検出部と、
前記切り欠きの位置と、前記ロックピースの位置との前記偏移量を数値で表示するか、又は前記偏移を表示する表示部と、を備えることを特徴とするロック偏移検出器。
【請求項２】
請求項１に記載のロック偏移検出器であって、前記検出部は、前記切り欠きと前記ロックピースとにより生じる両側の隙間量の比率を前記ロック偏移検出器に対する前記鎖錠かんの前記偏移量から算出して検出し、前記表示部は、前記隙間量又は前記比率を数値で表示することを特徴とするロック偏移検出器。
【請求項３】
請求項１に記載のロック偏移検出器であって、前記鎖錠かんに設けられて移動する計測片の位置をセンサに発生する電圧により計測する計測部を備え、前記検出部は、前記計測部が計測した電圧値から前記鎖錠かんの前記偏移量を算出して前記表示部に表示させることを特徴とするロック偏移検出器。 
【請求項４】
請求項３に記載のロック偏移検出器であって、前記鎖錠かんに設けられて移動する前記計測片の位置を前記センサに発生する電圧により計測する前記計測部を備え、前記検出部は、前記計測部が計測した電圧値を前記偏移量としてそのまま前記表示部に表示させることを特徴とするロック偏移検出器。 
【請求項５】
請求項１乃至４のいずれか１項に記載のロック偏移検出器であって、前記数値に関する閾値を設定する閾値入力部と、入力された前記閾値を記憶する記憶部と、前記数値が前記閾値を超えたか否かを判定する閾値判定部と、を備え、前記閾値入力部は、現場において任意な前記閾値が設定可能な閾値入力手段を有することを特徴とするロック偏移検出器。 
【請求項６】
請求項５に記載のロック偏移検出器であって、前記閾値入力部は、少なくとも前記数値が異常なレベルであることを示す閾値と、前記閾値よりも低い数値であって前記数値が注意を喚起すべきレベルであることを示す閾値と、が設定可能なことを特徴とするロック偏移検出器。 
【請求項７】
請求項６に記載のロック偏移検出器であって、閾値判定部は、前記閾値入力部が設定した複数の前記閾値を超えた場合のそれぞれにつき、いずれの前記閾値によるかが判別可能な信号を表示部に送信し、前記表示部は、前記信号を受信した場合には、いずれの閾値による警報かが判別可能な警報を発報することを特徴とするロック偏移検出器。 
【請求項８】
請求項３乃至７のいずれか１項に記載のロック偏移検出器であって、記憶部に記憶された閾値と、計測された前記偏移量とを、前記表示部を有して取外し自在な転てつ機モニタ、又は携帯端末としての転てつ機モニタに出力する出力部を備えることを特徴とするロック偏移検出器。 
【請求項９】
請求項８に記載のロック偏移検出器であって、前記出力部は、少なくとも前記表示部に表示される情報を取り付けた状態の前記転てつ機モニタ、取外された状態の前記転てつ機モニタ、又は前記携帯端末としての転てつ機モニタに伝送する伝送端末手段を有することを特徴とするロック偏移検出器。 
【請求項１０】
鎖錠かんに設けられた切り欠きとロックピースとの偏移をロック偏移検出器に対する前記鎖錠かんの偏移量から検出するロック偏移検出方法において、 
前記鎖錠かんの偏移量に関する任意な閾値を現場にて設定するステップと、 
前記偏移量又は正常か異常かを示す表示を確認するステップと、 
必要であれば、連続的に数値で表示される偏移量に基づいて前記鎖錠かんの位置調整を現場にて行うステップと、を備えることを特徴とするロック偏移検出方法。 
【請求項１１】
請求項１０に記載のロック偏移検出方法であって、転てつ機が鎖錠かんの偏移に関して片寄調整を必要とする場合には、数値で示された前記鎖錠かんの偏移を用いて前記鎖錠かんの位置調整をするステップを備えることを特徴とするロック偏移検出方法。
【発明の詳細な説明】
【技術分野】
【０００１】
本発明は、鉄道線路の転てつ機に用いられるロック偏移検出器及びロック偏移検出方法に係り、特に、トングレールに接続される鎖錠かんに設けられた切り欠きの位置と、ロックピースの位置とにより発生する偏移を検出するロック偏移検出器及びロック偏移検出方法に関する。
【背景技術】
【０００２】
図８に、鉄道線路の分岐器５０及び転てつ機３０の一つの実施例の構成を平面図で示す。また、図９に、転てつ機３０の鎖錠かん３９近傍の平面図を示す。さらに、図１０に、図９をＸ方向から見た正面図を示す。
【０００３】
図８に示すように、転てつ機３０は、動作かん３６、クラッチ３７、駆動モータ３８、鎖錠かん３９から構成される。そして、転てつ機３０は、動力伝達手段であるマグネットクラッチ３７を介して駆動モータ３８に接続して動作かん３６を動作させる。以下、転てつ機３０の転換機能及びロック機能について説明する。
【０００４】
(転換機能)
転てつ機３０は、基本レール３２ａ，３２ｂに対して一対のトングレール３３ａ，３３ｂを密着又は離間させることで線路を分岐させ、列車の進路を切り替える転換機構を備える。すなわち、転てつ機３０は、駆動モータ３８の回転運動を動作かん３６の直線運動に変換させ、動作かん３６の先端部においてトングレール３３に接続された転てつ棒３５を押し引きしてトングレール３３ａ，３３ｂを転換させる。
【０００５】
（ロック機能）
また、転てつ機３０は、接続用ロッド３１を介して鎖錠かん３９をトングレール３３に接続させ、トングレール３３の動作に連動して鎖錠かん３９を移動させ、転換動作終了時にトングレール３３の状態を維持するロック機能を備える。すなわち、図１０に示すように、転てつ機３０は、ロックピース４１が、鎖錠かん３９ａ，３９ｂに設けられた切り欠き４２ａ，４２ｂに挿入されることでロックされ、抜き出されることで移動可能となる。この鎖錠かん３９は副鎖錠かん３９ｂ及び主鎖錠かん３９ａから構成される。また、鎖錠かん３９は連結部材３４に連結され、連結部材３４の中間には、鎖錠かん３９の位置を微調整するための調整ネジ及び調整ナット４５が設けられている(図８参照)。また、鎖錠かん３９側にも調整ナット４５が設けられている(図１０参照)。なお、ロック偏移量とは、ロックピース４１の左右に均等に隙間を配して調整したロックピース４１の中心点に対する鎖錠かん３９の移動量をいう。
【０００６】
上記転換動作の最終段階でロック動作を行う際に、鎖錠かん３９の位置が基準位置に対して大きくずれると、上記ロックピース４１を鎖錠かん３９ａ，３９ｂに設けられた切り欠き４２ａ，４２ｂに挿入できなくなる。その原因としては、例えば、列車通過の繰り返しによるレール３２，３３や転てつ機３０の位置ずれなどがある。また、トングレール３３ａ，３３ｂと基本レール３２ａ，３２ｂとの隙間に異物が挟まっている場合もある。これらの場合にはトングレール３３ａ，３３ｂを正常にロックできないため車輛の安全走行に支障をきたす。
【０００７】
そのため、現状では、定期的に現場の保守作業者が転てつ機３０に設けられた点検用の蓋４３を開けて転てつ機３０の内部を覗き込み。切り欠き４２ａ，４２ｂに挿入されたロックピース４１の左右の隙間のバランスをみて、ロックピース４１が切り欠き４２の中心に位置していることを確認する。そして、ずれが生じている場合には連結部材３４の調整ナット４５及び鎖錠かん３９の調整ナット４５により鎖錠かん３９ａ，３９ｂの位置を調整していた。
【０００８】
また、分岐器５０によっては、転てつ機３０ロックピース４１と切り欠き４２ａ，４２ｂとの適切な位置関係に固有の「癖」があり、ロックピース４１を切り欠き４２ａ，４２ｂの中心位置からずらして調整する、いわゆる「片寄調整」が行われる場合がある。
【０００９】
従来、ロックピース４１と切り欠き４２ａ，４２ｂとの偏移を検出するロック狂い検出器が用いられていた。このロック狂い検出器は、発光素子及び受光素子からなる光学式センサーを用いてロックピース４１と切り欠き４２ａ，４２ｂとの偏移が閾値を超えたか否かを検出していた。
【００１０】
特許文献１に、上記光学式センサーによるロック狂い検出器を改良したロック狂い検出器が開示されている。すなわち、作業者の熟練を強いることなく容易に鎖錠桿の位置が適正か否かを確認するロック狂い検出器が備えられた転てつ機が開示されている。ここでは、転てつ機はトングレールに接続される鎖錠かんと、そこに設けられた切り欠きに対して進入・退出可能に設けられたロックピースと、転てつ機ケースに対して一体的に設けられた一対の固定スリット部材と、鎖錠かんに対して一体的に設けられた移動スリット部材とを備える。固定スリット部材のそれぞれには、固定スリットが形成されている。移動スリット部材には、複数の移動スリットが形成されており、その形成範囲は、鎖錠かんが基準位置にあるときに、固定スリットと重畳する重畳範囲と、固定スリットよりも左側に広がる左部範囲と、固定スリットよりも右側に広がる右部範囲とを有することが記載されている。
【００１１】
また、特許文献２には、従来のロック偏移量の段階表示機能を維持しつつも、より０点に近い狭い範囲に対応した表示も可能とする、センサー端末を用いた転てつ機のロック偏移量検出器が開示されている。ここでは、検出したロック偏移量を複数の範囲（Ｂ、ＣＲ，ＣＬ等）に分けて段階表示する表示器を備えた転てつ機のロック偏移量検出器であって、最もロック偏移量の０点に近い範囲を、比較的広い範囲Ｂと、比較的狭い範囲Ａとに切り替える表示モード切替手段を有する、ことが記載されている。
【先行技術文献】
【特許文献】
【００１２】
【特許文献１】特許第５００６７６０号公報
【特許文献２】特開２０１０−２１５００４号公報
【発明の概要】
【発明が解決しようとする課題】
【００１３】
従来のロック狂い検出器は、転てつ機が正常であるか異常であるかが、例えば監視室などのパイロットランプに表示され、鎖錠かんの偏移量が規定値以上であると判定された場合に限り警報が上げられていた。このため現場での保守作業時には鎖錠かんの偏移量を調整すべきか否かが分かり難く、保守作業員は転てつ機内の奥まった場所にあるロックピースを覗き込みながら調整作業を行わなければならなかった。この保守作業は、作業性が悪いだけではなく、保守作業員の経験や勘などに基づくため保守作業の品質の一貫性が確保できない、という問題があった。
【００１４】
また、引用文献１に示す従来のロック狂い検出器は、上記従来のロック狂い検出器の問題点を改善してはいるが、例えば、分岐器の「癖」に応じてロックピースを切り欠きの中心からずらして調整するという、いわゆる「片寄調整」をする場合などに作業性が悪いだけではなく、保守作業員の経験や勘などに基づくため保守作業の品質の一貫性が確保できない、という問題があった。
【００１５】
さらに、引用文献２に示すセンサー端末を用いた転てつ機のロック偏移量検出器は、引用文献２に記載されているようにＬＥＤメータによる表示のため、直感的に偏移量が掴めない、また、状態の表示が段階的なので細かい微調整ができない、という問題があった。
【００１６】
本願の目的は、かかる課題を解決し、現場の保守作業において鎖錠かんの偏移調整の作業性を改善し、保守作業の品質の一貫性を確保するロック偏移検出器及びロック偏移検出方法を提供することである。
【課題を解決するための手段】
【００１７】
上記目的を達成するため、本発明に係るロック偏移検出器は、トングレールに接続される鎖錠かんに設けられた切り欠きの位置と、ロックピースの位置との偏移を、リニアセンサを設けリニアセンサによりロック偏移検出器に対する鎖錠かんの偏移量として連続的に計測することで偏移を常に検出する検出部と、切り欠きの位置と、ロックピースの位置との偏移量を数値で表示するか、又は偏移を表示する表示部と、を備えることを特徴とする。以下、本発明のロック偏移検出器の表示方法についての特徴である、「数値表示」及び「連続表示」について説明する。また、本発明のロック偏移検出器の表示単位についての特徴である、「比率表示」及び「電圧表示」についても説明する。
【００１８】
（数値表示）
上記構成により、転てつ機の保守作業において、鎖錠かんの偏移量が数値で計測され、それにより、鎖錠かんに設けられた切り欠きの位置とロックピースの位置とにより発生する偏移が適切に検出される。また、検出部により計測された鎖錠かんの偏移が表示部により数値で表示されるか又は偏移が表示される。従来、保守作業員が転てつ機内の奥まった場所にあるロックピースを覗き込みながら行っていた調整作業が、転てつ機に設けられた偏移が数値表示される表示部を確認することで達成できる。これにより、例えば、鎖錠かんの偏移量調整を行う場合、或いは、分岐器の「癖」に応じてロックピースを切り欠きの中心からずらして調整するという、いわゆる「片寄調整」をする場合などに、数値表示されることで、それらの作業性が大幅に改善される。また、従来、保守作業員が経験や勘などに基づいて行ってきた保守作業が、数値表示される偏移に基づいて行われることで保守作業の品質の一貫性が確保できる。
【００１９】
（連続表示）
また、転てつ機の保守作業において、検出部により鎖錠かんの偏移が連続的に計測され、鎖錠かんに設けられた切り欠きの位置と、ロックピースの位置とにより発生する偏移が常に検出できる。また、検出部により計測された鎖錠かんの偏移が表示部により連続的に表示される。従来、保守作業員が転てつ機内の奥まった場所にあるロックピースを覗き込みながら行っていた調整作業が、現場に設けられた偏移が連続的に表示される表示部を確認することで達成される。これにより、例えば、分岐器の「癖」に応じてロックピースを切り欠きの中心からずらして調整するという、いわゆる「片寄調整」をする場合などに、連続表示されることで、作業性が大幅に改善されるだけではなく、保守作業員の経験や勘ではなく、連続表示される数値に基づく片寄調整が可能となり、保守作業の品質の一貫性が確保できる。
【００２０】
また、ロック偏移検出器は、検出部が切り欠きと前記ロックピースとにより生じる両側の隙間量の比率をロック偏移検出器に対する鎖錠かんの偏移量から算出して検出し、表示部は、隙間量又は比率を数値で表示することが好ましい。これにより、鎖錠かんの偏移を左右の比率で表示することで特に経験の浅い保守作業員は、感覚的に偏移の具合を簡易に判断することができる。
【００２１】
また、ロック偏移検出器は、鎖錠かんに設けられて移動する計測片の位置をリニアセンサに発生する電圧により計測する計測部を備え、検出部は計測部が計測した電圧値から鎖錠かんの偏移量を算出して表示部に表示させることが好ましい。このように、リニアセンサを用いることで偏移量を連続的にかつ数値表示により検出できる。また、現場の保守作業員にとって分かり易い数値表示が連続的に表示され、作業性が大幅に改善されるだけではなく、保守作業の品質の一貫性が確保できる。
【００２２】
（電圧表示）
また、ロック偏移検出器は、鎖錠かんに設けられて移動する計測片の位置をリニアセンサに発生する電圧により計測する計測部を備え、検出部は計測部が計測した電圧値を偏移量としてそのまま表示部に表示させることが好ましい。このように、リニアセンサを用いることで偏移量を連続的にかつ数値表示により検出できる。さらに、リニアセンサから生じる電圧値をそのまま表示することで調整・保守の作業員は、扱い慣れた電圧値により偏移の程度を判断することができる。
【００２３】
また、ロック偏移検出器は、数値に関する閾値を設定する閾値入力部と、入力された閾値を記憶する記憶部と、数値が閾値を超えたか否かを判定する閾値判定部とを備え、閾値入力部は、現場において任意な閾値が設定可能な閾値入力手段を有することが好ましい。これにより、閾値入力部により分岐器が有する「癖」を考慮して当該転てつ機の閾値を現場にて設定したり、季節ごとの気象状況に応じて閾値を調整したりするなど、閾値判定部の判定の有効性を高めることができる。
【００２４】
また、ロック偏移検出器は、閾値入力部が少なくとも数値が異常なレベルであることを示す閾値と、閾値よりも低い数値であって数値が注意を喚起すべきレベルであることが好ましい。これにより、現場において異常検出の前段階で注意警報を上げることができ、現場の保守作業において鎖錠かんの偏移調整の作業性を改善し、保守作業の品質を向上させることができる。
【００２５】
また、ロック偏移検出器は、閾値判定部が閾値入力部が設定した複数の閾値を超えた場合のそれぞれにつき、いずれの閾値によるかが判別可能な信号を表示部に送信し、表示部は、信号を受信した場合には、いずれの閾値による警報かが判別可能な警報を発報することが好ましい。これにより、鎖錠かんに設けられた切り欠きとロックピースとにより発生する偏移を適切に判別することが可能となり、現場の保守作業において鎖錠かんの偏移調整の作業性を改善し、保守作業の品質の一貫性を確保することができる。
【００２６】
また、ロック偏移検出器は、記憶部に記憶された閾値と、計測された偏移量とを、表示部を有して取外し自在な転てつ機モニタ、又は携帯端末としての転てつ機モニタに出力する出力部を備えることが好ましい。これにより、現場保守員は、転てつ機ごとに入力した閾値の記録と、偏移量の記録とを参照しながら保守作業を行うことができ、その分岐器の特性や癖を連続した数値により容易に把握することができる。
【００２７】
また、ロック偏移検出器は、出力部が少なくとも表示部に表示される情報を取り付けた状態の転てつ機モニタ、取外された状態の転てつ機モニタ、又は携帯端末としての転てつ機モニタに伝送する伝送端末手段を有することが好ましい。このように、ロック偏移検出器において出力される情報が、取り付けた状態の転てつ機モニタ、又は取外された状態の転てつ機モニタに表示される。
【００２８】
上記目的を達成するため、本発明に係るロック偏移検出方法は、鎖錠かんに設けられた切り欠きとロックピースとの偏移をロック偏移検出器に対する鎖錠かんの偏移量から検出するロック偏移検出方法において、鎖錠かんの偏移量に関する任意な閾値を現場にて設定するステップと、偏移量又は正常か異常かを示す表示を確認するステップと、必要であれば、連続的に数値で表示される偏移量に基づいて鎖錠かんの位置調整を現場にて行うステップとを備えることを特徴とする。以下、本発明のロック偏移検出方法の特徴である、「数値表示」及び「連続表示」について説明する。
【００２９】
（数値表示）
上記構成により、転てつ機の保守作業において、鎖錠かんの偏移が数値により計測され、鎖錠かんに設けられた切り欠きの位置と、ロックピースの位置とにより発生する偏移が適切に検出される。また、計測された鎖錠かんの偏移が数値により表示される。従来、保守作業員が転てつ機内の奥まった場所にあるロックピースを覗き込みながら行っていた調整作業が、転てつ機に設けられた偏移を数値による表示で確認することにより達成できる。これにより、鎖錠かん偏移調整の作業性が大幅に改善される。また、従来、保守作業員が経験や勘などに基づいて行ってきた保守作業が、数値により表示される偏移により行われることで保守作業の品質の一貫性が確保できる。
【００３０】
（連続表示）
また、転てつ機の保守作業において、鎖錠かんの偏移が連続的に計測され、鎖錠かんに設けられた切り欠きの位置と、ロックピースの位置とにより発生する偏移が常に検出できる。また、計測された鎖錠かんの偏移が連続的に表示される。従来、保守作業員が転てつ機内の奥まった場所にあるロックピースを覗き込みながら行っていた調整作業が、転てつ機に設けられた偏移を連続して確認することで達成できる。これにより、例えば、分岐器の癖に応じてロックピースを切り欠きの中心からずらして調整するという、いわゆる片寄調整をする場合などに、作業性が改善されるだけではなく、保守作業員の経験や勘ではなく、連続的に表示される数値に基づく片寄調整が可能となり、保守作業の品質の一貫性が確保できる。
【００３１】
また、ロック偏移検出方法は、転てつ機が鎖錠かんの偏移に関して片寄調整を必要とする場合には、数値で示された鎖錠かんの偏移を用いて鎖錠かんの位置調整をするステップを備えることが好ましい。このように、片寄調整が必要な場合には、連続的に数値で表示される鎖錠かんの偏移を用いて容易にかつ精度良く調整ができる。
【発明の効果】
【００３２】
以上のように、本発明に係るロック偏移検出器及びロック偏移検出方法によれば、現場の保守作業において鎖錠かんの偏移調整の作業性が改善され、保守作業の品質の一貫性が確保されるロック偏移検出器及びロック偏移検出方法が提供できる。
【図面の簡単な説明】
【００３３】
【図１】本発明に係るロック偏移検出器の実施形態の概略構成を示すブロック図である。
【図２】ロック偏移検出器における偏移量の計測方法を示す説明図である。
【図３】ロック偏移検出器における偏移量の計測に基づき、鎖錠かんの偏移を検出する方法を示す説明図である。
【図４】ロック偏移検出器における偏移量の検出とその表示方法に関するブロック図及び説明図である。
【図５】ロック偏移検出器の表示部の表示方法の一つの実施例である「比率表示」を示す説明図である。
【図６】ロック偏移検出器の表示部の表示方法の他の実施例である「電圧表示」を示す説明図である。
【図７】本発明に係るロック偏移検出器の調整手順を示すフローチャートである。
【図８】鉄道線路の転てつ機の一つの実施例の構成を示す平面図である。
【図９】転てつ機の鎖錠かん近傍を示す平面図である。
【図１０】図９のＸ方向から見た正面図である。
【発明を実施するための形態】
【００３４】
以下に、図面を用いて本発明に係るロック偏移検出器１の実施形態につき、詳細に説明する。図１に、本発明に係るロック偏移検出器１の実施形態の概略構成をブロック図で示す。また、図２に、ロック偏移検出器１における偏移量の計測方法を示す。さらに、図３に、ロック偏移検出器１における偏移量の計測に基づき、鎖錠かん１４の偏移を検出する方法を示す。ここで、「偏移量」とは数値で表される移動量についての表現手段をいい、「偏移」とは、数値で表された移動量だけではなく、例えば図表やグラフ、或いは色彩や音声などで表される移動量についての表現手段をも含む。
【００３５】
図８に示すように、転てつ機３０は、トングレール３３の動作に連動して鎖錠かん３９を移動させ、転換動作終了時にトングレール３３の状態を維持するロック機能を備える。従って、図３に示すように、ロックピース１１が、鎖錠かん１４に設けられた切り欠き１２に挿入されることで鎖錠かん１４の動きがロックされ、抜き出されることで移動が可能となる。このロックピース１１は切り欠き１２の中心位置にあるのが望ましいが、例えば、列車通過の繰り返しによるレール３２，３３や転てつ機３０の位置がずれたり、基本レール３２とトングレール３３との間に異物が挟まるなどの異常が発生すると、切り欠き１２がロックピース１１からずれてしまい鎖錠かん１４のロックが完了しなくなる場合が発生する。そこで、ロック偏移検出器１は、検出器ケース１０にリニアセンサ２を設けて鎖錠かん１４の偏移量を数値により連続的に計測し、その計測結果から、ロックピース１１と切り欠き１２の中心位置との偏移を検出して表示する。
【００３６】
（ロック偏移検出器の構成要素）
ロック偏移検出器１は、計測部３、処理部４及び表示部９から構成される。計測部３は、リニアセンサ２により鎖錠かん１４の偏移量を計測する。処理部４は、閾値入力部５、検出部６、記憶部７、出力部２５、及び判定部８から構成される。閾値入力部５には鎖錠かん１４の偏移量に対する閾値（Ｋ）が入力される。入力された閾値（Ｋ）は記憶部７に記憶されるが、検出された偏移量も記憶部７に記憶されても良い。検出部６は、ロックピース１１と切り欠き１２との位置関係を計測部３が計測した鎖錠かん１４の偏移量から検出する。出力部２５は偏移量を出力するが、入力された閾値（Ｋ）を出力しても良い。さらに、表示部９は、比率表示部９ａ及び偏移表示部９ｂから構成され、ロックピース１１の両側の隙間量又はそれらの隙間量の比率を数値で表示するか、又は、例えば図表やグラフ、或いは色彩や音声などにより偏移を表示する。以下、各構成要素について詳細に説明する。
【００３７】
（計測部の機能）
図２に示すように、計測部３は、検出器ケース１０に接続されたリニアセンサ２により、鎖錠かん１４に設けられて移動する計測片１３の移動量を計測する。このリニアセンサ２は本実施形態ではプランジャー式センサーであり、２台のセンサーにより計測片１３の移動量を計測するが、他の種類のリニアセンサ２であっても良く、台数も２台に限らない。このプランジャーの押し込み量が出力電圧の変化を生じて処理部４にその電圧を出力する。そして、処理部４にて出力の増幅及び変換が行われる。
【００３８】
図２に示すように、鎖錠かん１４は、接続用ロッド１９に接続され、連結部材１６を介して一対のトングレール１５ａ，１５ｂに連結される。そして、連結部材１６には調整ネジ１７、及び調整ネジ１７の両側に設けられた調整ナット１８が設けられている。鎖錠かん１４の位置を調整するには、両側の調整ナット１８を回転させて調整ネジ１７の位置を移動させる。
【００３９】
図３に示すように、鎖錠かん１４には、ロックピース１１及び切り欠き１２によるロック機構と、リニアセンサ２及び計測片１３による偏移量計測手段が共に設けられている。このロック機構及び偏移量計測手段は、鎖錠かん１４の隣接する面にそれぞれ設けられている。このうち、リニアセンサ２は検出器ケース１０に接続されている。一方、切り欠き１２及び計測片１３は鎖錠かん１４の動きに追従する。従って、鎖錠かん１４が図３中に矢印で示す方向にｂだけ偏移すると長さ（Ｂ）のプランジャーは長さ（Ｂ＋ｂ）となり、同時に、ロックピース１１及び切り欠き１２の両側の隙間（ｍ，ｎ）は、隙間（ｍ＋ｂ，ｎ−ｂ）となる。このように、ロックピース１１及び切り欠き１２によるロック機構における偏移量は、リニアセンサ２及び計測片１３による偏移量計測手段により計測が可能となる。
【００４０】
（閾値入力部の機能）
閾値入力部５は、ロックピース１１と切り欠き１２の中心位置との位置関係につき、計測部３が計測した数値に関する閾値（Ｋ）を設定する。そして、ロック偏移検出器１の閾値入力部５は、転てつ機の現場において任意な閾値（Ｋ）が設定可能な閾値入力手段を有する。すなわち、本発明に係る閾値（Ｋ）は、保守作業員が現場において転てつ機ごとに設けられた閾値入力手段により、ロックピース１１と切り欠き１２の中心位置との位置関係につき任意の閾値（Ｋ）を設定できる。この機能により、保守作業員は、ロック偏移検出器１ごとにきめ細かく数値を設定し、例えば、偏移があまり問題にならないロック偏移検出器１と、偏移がしばしば問題になるロック偏移検出器１とで異なる閾値（Ｋ）を設定しても良い。また、その閾値（Ｋ）とする数値は、保守作業員が現場にて設定できるため、より現実的な数値が設定可能となる。さらに、例えば、季節ごとの気象条件を考慮して設定すること、ロック偏移検出器１の使用年数に応じて設定することなどが可能となる。
【００４１】
閾値入力部５は、少なくとも偏移の数値が異常なレベルであることを示す閾値（Ｋ１）と、閾値（Ｋ１）よりも低い数値であって数値が注意を喚起すべきレベルであることを示す閾値（Ｋ２）と、を設定できる。すなわち、ロック偏移検出器１の偏移の異常を検出する点より手前に閾値（Ｋ２）を設ければ、異常検出の前に注意警報を上げることができる。この機能により、これまで正常又は異常でＯＮ／ＯＦＦが切り替わるのみだった接点を、断続的に切り替えて出力する注意警報として扱うことも可能となる。また、現場で設定される閾値（Ｋ）は、上記閾値（Ｋ１）及び閾値（Ｋ２）に限らず他の閾値（Ｋ）でも良く、また、閾値（Ｋ）の数は２個に限らず必要な個数が設定できる。さらに、閾値（Ｋ）の数値は、保守作業者が現場において任意に設定できる。
【００４２】
（片寄調整の閾値）
分岐器の「癖」に応じた片寄調整を行う場合には、その片寄値を反映した閾値（Ｋ´）を設定する。例えば、偏移の数値が異常なレベルであることを示す閾値（Ｋ´）について、切り欠き１２内のロックピース１１の左右の隙間の比率を閾値（Ｋ´）とすることができる。また、左右の隙間それぞれに閾値（Ｋ）を設定しても良い。このように、閾値（Ｋ）は、表示部９の表示を確認しながら設定できる。
【００４３】
（検出部の機能）
検出部６は、一対のトングレール１５に接続される鎖錠かん１４に設けられた切り欠き１２とロックピース１１との偏移を、計測部３が連続的に計測した鎖錠かん１４の偏移に基づいて検出する。ここで「検出する」とは、例えば、切り欠き１２とロックピース１１との両側の隙間のそれぞれの数値、両側の隙間のそれぞれの数値の比率など、数値で表示される表現手段だけではなく、例えば図表やグラフ、或いは色彩や音声などで表される表現手段をも含む。すなわち、検出部６は、計測部３が連続的に計測した数値を編集して表示部９にデータを送信して表示させる。
【００４４】
（判定部の機能）
判定部８は、計測部３が連続的に計測した数値が、閾値入力部５に入力されて記憶部７に記憶されている複数の閾値（Ｋ１，Ｋ２，Ｋ３・・・）をそれぞれ超えたか否かを判定する。そして、計測された計測値が、閾値入力部５が設定した複数の閾値（Ｋ）をそれぞれ超えた場合には、ある閾値（Ｋ１）に対して他の閾値（Ｋ２，Ｋ３・・・）を超えた場合と判別可能な信号を表示部９にその都度送信する。例えば、偏移の数値が異常なレベルであることを示す閾値（Ｋ１）と、閾値よりも低い数値であって数値が注意を喚起すべきレベルであることを示す閾値（Ｋ２）とを設定した場合、計測値が閾値（Ｋ２）を超えた場合には、断続的なブザー音とするように表示部９に指示し、計測値が閾値（Ｋ１）を超えた場合には、連続的なブザー音とするように表示部９に指示することで、保守作業員は、聴覚的に注意警報と警報とを聞き分けることができる。なお、表示部９は、ブザー音だけではなく、例えば、音声、音楽、色彩など他の手段を発しても良い。
【００４５】
（片寄調整の判定）
判定部８は、分岐器の「癖」に応じた片寄調整を行う場合には、その片寄値を反映した閾値（Ｋ´）を用いて判定する。例えば、計測値が注意を喚起すべきレベルである閾値（Ｋ´２）を超えた場合には、例えば断続的なブザー音とするように表示部９に指示し、計測値が異常なレベルである閾値（Ｋ´１）を超えた場合には、例えば連続的なブザー音とするように表示部９に指示する。例えばその比率を（６：４）というアンバランスな状態を基準としても良い。さらに、閾値（Ｋ´）を左右で変えても良い。
【００４６】
（記憶部の機能）
記憶部７は、閾値入力部５により入力された閾値（Ｋ）を転てつ機ごとに記憶する。さらに、計測部３により計測された偏移量を記憶しても良い。偏移量については、所定の期間データを記憶し、出力後に書き換えても良い。また、片寄調整を行う転てつ機については、片寄調整を考慮した閾値（Ｋ）を記憶しても良い。
【００４７】
（出力部の機能）
出力部２５は、現場保守員が各転てつ機に入力した閾値（Ｋ）の記録、及び偏移量の記録を転てつ機モニタ２６に出力する。これにより、現場保守員は、転てつ機ごとに入力された閾値（Ｋ）の記録、及び偏移量の記録を転てつ機モニタ２６により確認することできる。そして、その分岐器の特性や癖を連続した数値により容易に把握することができる。さらに、その転てつ機の片寄調整の必要性についても容易に判断できる。
【００４８】
（表示部の機能）
表示部９は、比率表示部９ａ又は偏移表示部９ｂを備えるが、これらに限らず他の表示手段により表示しても良い。比率表示部９ａは、ロックピース１１と切り欠き１２との両側の隙間の数値を比率により表示する表示手段である。偏移表示部９ｂは、ロックピース１１の切り欠き１２に対する偏移を数値又は、数値以外の例えば図表やグラフ、或いは色彩や音声などで表示する表示手段である。本明細書では、比率表示部９ａの実施例について説明するが、偏移表示部９ｂについても表示部分が比率ではなく偏移量或いは偏移を表す図形またはグラフに代わるため説明を省略する。
【００４９】
図４に、ロック偏移検出器１における偏移量の検出方法及びその表示方法に関する機能をブロック図で示す。図４（ａ）は、図１に示す計測部３、検出部６、出力部２５、処理部４、及び表示部９の関係を示すブロック図である。図４（ｂ）は、図２に示すロック偏移検出器１における偏移量の計測方法に基づく説明図である。ロック偏移検出器１の表示部９は、現場保守員がロック偏移検出器１の調整を行う際のアシストポイントを示すという意義を有する。すなわち、現場保守員がこのアシストポイントを参照して適正な位置に転てつ機におけるロックピース１１と切り欠き１２との位置関係を調整する。本願発明では、図４（ｂ）に示すように、鎖錠かん１４ａ，１４ｂに取り付けられた計測片１３の動作をリニアセンサ２のプランジャ５４に発生する電圧量で計測する方法を採用している。図４（b）に符号δで示すように、プランジャ５４の先端部は、ロックピース１１と切り欠き１２との位置関係に従って移動する。
【００５０】
すなわち、プランジャ５４が基準位置にある場合の電圧量（Ｖ０）に対して、図４（ｂ）に符号δで示すように、プランジャ５４が伸びた場合の電圧（Ｖ＋）とプランジャ５４が縮んだ場合の電圧（Ｖ−）により偏移量が推定できる。図４（ａ）に示すように、検出部６は、リニアセンサ２から電圧値（Ｖ）を取得する。一方、検出部６は、このプランジャ５４のストローク（伸び量）を計測するリニアセンサ２から情報を取得しても良く、ロックピース１１の左右の隙間を光学的なセンサにて直接計測しても良い。
【００５１】
そして、検出部６は変換部５３にこの電圧量（Ｖ）を送信し、ロックピース１１の左右の隙間の比率に変換させた数値を出力部２５に送信する。そして、出力部２５は変換させた数値を比率表示部９ａに送信して表示させる。或いは、検出部６は変換部５３を介さずに電圧量（Ｖ）を出力部２５に送信する。出力部２５は電圧値をそのまま電圧表示部９ｃに送信して表示させる。なお、出力部２５は、偏移の異常が発生した場合には、偏移表示部９ｂに警報を発報する、
【００５２】
（比率表示）
図５に、ロック偏移検出器１の表示部９の表示方法の一つである比率表示の実施例を示す。図５（ａ）には、現場表示器である転てつ機モニタ２６の画面を示し、図５（ｂ）には、ロックピース１１の切り欠き１２に対する偏移によりどのように転てつ機モニタ２６の画面に表示されるかを場合分けして示す。
【００５３】
図５（ａ）では、上段にロックピース１１と切り欠き１２との両側の隙間の数値を比率で示す比率表示部９ａが設けられる。従来、保守作業者は、ロックピース１１と切り欠き１２との両側の隙間の数値を目測してそれらの比率により偏移量を捉えていた。従って、この表示手段は保守作業者にとって馴染み易い表示手段といえる。従来、保守作業員は、転てつ機の蓋２４を開けて覗き込み、目視によりこの比率を算出していた。本発明により、この比率がリニアセンサ２により精度良く計測されるだけではなく、保守作業員は、連続的に表示される数値により判断することができる。
【００５４】
また、下段には転換方向表示器２２及び偏移表示器２３が設けられる。転換方向表示器２２は、図面に向かって左右両側にＬＥＤによるパイロットランプが設けられ、転換している方向のパイロットランプが点灯する。図５（ａ）では、切り欠き1２内のロックピース１１は図面に向かって左側のパイロットランプが点灯していることから、左方向に転換していることが分かる。偏移表示器２３は、偏移量が正常な範囲の場合にはＬＥＤ照明が点灯し、偏移量が閾値を超えて異常な範囲になった場合にはＬＥＤ照明は消灯する。
【００５５】
図５（ｂ）の上段には、切り欠き１２内のロックピース１１の左右の隙間が均等な場合を示す。この場合、転てつ機モニタ２６の画面には（５：５）の比率が表示され、転換方向表示器２２は図面に向かって左側のパイロットランプが点灯し、偏移表示器２３は正常状態を示すＯＮ表示となる。また、図５（ｂ）の中段には、切り欠き１２内のロックピース１１の左右の隙間がアンバランスな場合を示す。この場合、転てつ機モニタ２６の画面には（４：６）の比率が表示され、転換方向表示器２２は図面に向かって左側のパイロットランプが点灯し、偏移表示器２３は正常状態を示すＯＮ表示となる。さらに、図５（ｂ）の下段には、切り欠き１２内のロックピース１１の左右の隙間が異常な場合を示す。この場合、転てつ機モニタ２６の画面にはエラーを示す（０：Ｅ）の比率が表示され、転換方向表示器２２は図面に向かって左側のパイロットランプが点灯し、偏移表示器２３は異常状態を示すＯＦＦ表示となる。そして、偏移に関する警報が発報される。
【００５６】
（電圧表示）
図６に、ロック偏移検出器１の表示部９の表示方法のための実施例である電圧表示の場合の表示例を示す。図６（ａ）には、現場表示器である転てつ機モニタ５１の画面を示し、図６（ｂ）には、ロックピース１１の切り欠き１２に対する偏移によりどのように転てつ機モニタ５１の画面に表示されるかを場合分けして示す。
【００５７】
図６（ａ）では、上段に電圧値（Ｖ）そのまま示す電圧表示部９ｃが設けられる。ここで、例えば電圧値が２.５Ｖである場合には、小数点を何れかの数値に表示し、図６に向かって左側の場合には「５．」と「５」に分けて二つの表示欄に図６（ａ）−１のように表示するか、図６に向かって右側の場合には「５」と「.５」に分けて二つの表示欄に図６（ａ）−２のように表示する。その他の表示方法は、上述した「比率表示」に準ずる。この表示手段は保守作業者にとって馴染み易い表示手段といえる。従来、保守作業員は、転てつ機の蓋２４を開けて覗き込み、目視によりこの比率を確認していた。本発明により、この比率がリニアセンサ２により精度良く計測されるだけではなく、調整・保守の作業員は、扱い慣れた電圧値により偏移の程度を判断することができる。
【００５８】
表示部９は、判定部８から異常信号を受信した場合には、ある閾値（Ｋ）を超えた場合が他の閾値（Ｋ）を超えた場合と判別可能な警報を発報する。数値が異常なレベルであることを示す閾値（Ｋ１）と、閾値よりも低い数値であって数値が注意を喚起すべきレベルであることを示す閾値（Ｋ２）とを設定した場合には、例えば、計測値が閾値（Ｋ２）を超えた場合には、断続的なブザー音を発報し、計測値が閾値（Ｋ１）を超えた場合には、連続的なブザー音を発報する。これにより、保守作業者は、聴覚的に注意警報と警報とを聞き分けることができる。なお、表示部９は、ブザー音だけではなく、例えば、音声、音楽、色彩など他の手段を発しても良い。
【００５９】
（片寄調整の表示）
表示部９は、分岐器５０の「癖」に応じた片寄調整を行う場合には、その片寄値を反映して表示する。例えば、比率が（６：４）というアンバランスな状態を基準値とする場合には、閾値（Ｋ）を左右ばらばらに設定しても良い。また、図５（ａ）の比率表示部９ａでは、例えば、計測された比率、基準の比率、及び閾値を表示して保守作業員が判断し易くすることが好ましい。
【００６０】
ロック偏移検出器１の出力部２５は、上述した閾値及び計測された偏移量を表示部９を有する取外し自在な転てつ機モニタ２６に出力する。すなわち、ロック偏移検出器１は、そのままロック偏移検出器１に取り付けられたままでも良く、ロック偏移検出器１から取外しても良い。これにより、ロック偏移検出器１の、例えば閾値及び計測された偏移量などの情報を読みながら転てつ機３０の調整を現場にて行うことができる。これにより、これまで、２人以上の保守作業員により協働して作業していたのが一人でも行うことができるようになる。また、携帯端末を転てつ機モニタ２６として使用し、出力部２５から転てつ機モニタ２６に送信する情報を送信しても良い。すなわち、出力部２５は、少なくとも表示部９に表示される情報を取り付けた状態の転てつ機モニタ、取外された状態の転てつ機モニタ、又は携帯端末としての転てつ機モニタ２６に伝送する伝送端末手段を有する。
これにより、保守作業員は、携帯端末を持参すれば、転てつ機モニタ２６を持ち歩く必要がなくなる。
【００６１】
（ロック偏移検出器の調整方法）
図７に、本発明に係るロック偏移検出器の調整方法の手順をフローチャートにて示す。本フローチャートでは、各ステップをＳ１〜Ｓ８で示す。ここでは、鎖錠かん１４に設けられた切り欠き１２とロックピース１１との偏移をロック偏移検出器１に対する鎖錠かん１４の偏移量から検出するロック偏移検出方法を示す。まず、出荷時に初期値として、ロック偏移検出器１に鎖錠かん１４の偏移量に関する任意な閾値（Ｋ）を設定する（Ｓ１）。ここで、閾値（Ｋ）は複数の任意の値が設定可能である。そして、全てのロック偏移検出器１に閾値（Ｋ）を設定したか否かが判断され（Ｓ２）、“ＮＯ”であればステップ（Ｓ１）に戻り、“ＹＥＳ”ならば次のステップに進む（Ｓ３）。
【００６２】
次に、ロックピース１１と切り欠き１２との偏移量を示す数値又は偏移が正常か異常を示す表示を確認する（Ｓ３）。このように、保守作業員は、各ロック偏移検出器１について、偏移量を示す数値又は偏移が正常か異常を示す表示のいずれか一方、又は双方を確認することができる。次に、この確認結果から、鎖錠かん１４の位置調整又は片寄調整が必要か否かを判断する（Ｓ４）。そして、鎖錠かん１４の位置調整又は必要に応じては片寄調整が必要であると判断した場合は次のステップ（Ｓ５）に進み、鎖錠かん１４の位置調整又は片寄調整が必要でないと判断した場合はステップ（Ｓ６）に進む。
【００６３】
ステップ（Ｓ６）及び（Ｓ７）は、ロック偏移検出器１に初期値として設定された閾値の変更を必要とするか否かが判断され（Ｓ６）、必要であれば、偏移量に関する任意な閾値を設定する（Ｓ７）。そして、すべてのロック偏移検出器について偏移を調整したか否かを判断し、ＮＯであればＳ３に戻り、ＹＥＳであれば終了する（Ｓ８）。
【００６４】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００６５】
１  ロック偏移検出器、２  リニアセンサ、３  計測部、４  処理部、５  閾値入力部、６  検出部、７  記憶部、８  判定部、９  表示部，９ａ  比率表示部，９ｂ  偏移表示部、９ｃ  電圧値表示部、１０，４０  検出器ケース、１１，４１  ロックピース、１２，４２  切り欠き，４２ａ  上部切り欠き，４２ｂ  下部切り欠き、１３  計測片、１４、１４ａ，１４ｂ,３９  鎖錠かん，３９ａ  主鎖錠かん，３９ｂ  副鎖錠かん、１５，３３  トングレール，１５ａ，１５ｂ，３３ａ，３３ｂ  一対のトングレール、１６，３４  連結部材、１８，４５  調整ナット、１９，３１  接続用ロッド、２２  転換方向表示器、２３  偏移表示器、２４，４３  蓋、２５  出力部、２６  転てつ機モニタ、２７  集中監視装置、３０  転てつ機、３２  基本レール，３２ａ，３２ｂ  一対の基本レール、３５  転てつ棒、３６  動作かん、３７  クラッチ、３８  駆動モータ、５０  分岐器、５１  転てつ機モニタ、５３  変換部、５４  プランジャ、δ  プランジャの移動量。
【図１】
0006719194.tif 000002
【図２】
0006719194.tif 000003
【図３】
0006719194.tif 000004
【図４】
0006719194.tif 000005
【図５】
0006719194.tif 000006
【図６】
0006719194.tif 000007
【図７】
0006719194.tif 000008
【図８】
0006719194.tif 000009
【図９】
0006719194.tif 000010
【図１０】
0006719194.tif 000011